(57)【特許請求の範囲】
【請求項１】
利用を予約する部屋を特定するための予約部屋位置情報と、前記部屋を利用する時間に関する予約時間情報と、前記部屋の予約者を特定するための予約者認証情報とを含む予約情報を、利用者端末から受信する予約情報受信手段と、
部屋へ入室する入室者を特定するための入室者認証情報と、当該入室する部屋を特定するための入室部屋位置情報とを含む入室情報を受信する入室情報受信手段と、
前記予約部屋位置情報と前記入室部屋位置情報、前記予約者認証情報と前記入室者認証情報、及び、前記予約時間情報と前記入室情報を受信した時刻のそれぞれを照合した結果に応じて、前記入室者が前記予約者と同一であるか否かを認証する認証手段と、
前記入室者が前記予約者と同一であると認証した場合には、前記予約者が前記部屋で用いる機器の環境設定情報を返信するように要求する要求情報を前記利用者端末に送信する指示を出力し、前記利用者端末から前記環境設定情報を受信した場合には、受信した前記環境設定情報を前記機器へ送信する指示を出力する送信指示手段と、
を備える部屋環境設定システム。
【請求項２】
予約情報受信手段が、利用を予約する部屋を特定するための予約部屋位置情報と、前記部屋を利用する時間に関する予約時間情報と、前記部屋の予約者を特定するための予約者認証情報とを含む予約情報を、利用者端末から受信するステップと、
入室情報受信手段が、部屋へ入室する入室者を特定するための入室者認証情報と、当該入室する部屋を特定するための入室部屋位置情報とを含む入室情報を受信するステップと、
認証手段が、前記予約部屋位置情報と前記入室部屋位置情報、前記予約者認証情報と前記入室者認証情報、及び、前記予約時間情報と前記入室情報を受信した時刻のそれぞれを照合した結果に応じて、前記入室者が前記予約者と同一であるか否かを認証するステップと、
前記入室者が前記予約者と同一であると認証した場合には、前記予約者が前記部屋で用いる機器の環境設定情報を返信するように要求する要求情報を前記利用者端末に送信する指示を出力するステップと、
前記利用者端末から前記環境設定情報を受信した場合には、受信した前記環境設定情報を前記機器へ送信する指示を出力するステップと、
を備える部屋環境設定方法。
【請求項３】
コンピュータを、
利用を予約する部屋を特定するための予約部屋位置情報と、前記部屋を利用する時間に関する予約時間情報と、前記部屋の予約者を特定するための予約者認証情報とを含む予約情報を、利用者端末から受信する予約情報受信手段と、
部屋へ入室する入室者を特定するための入室者認証情報と、当該入室する部屋を特定するための入室部屋位置情報とを含む入室情報を受信する入室情報受信手段と、
前記予約部屋位置情報と前記入室部屋位置情報、前記予約者認証情報と前記入室者認証情報、及び、前記予約時間情報と前記入室情報を受信した時刻のそれぞれを照合した結果に応じて、前記入室者が前記予約者と同一であるか否かを認証する認証手段と、
前記入室者が前記予約者と同一であると認証した場合には、前記予約者が前記部屋で用いる機器の環境設定情報を返信するように要求する要求情報を前記利用者端末に送信する指示を出力し、前記利用者端末から前記環境設定情報を受信した場合には、受信した前記環境設定情報を前記機器へ送信する指示を出力する送信指示手段として機能させるための部屋環境設定プログラム。
【請求項４】
請求項３記載の部屋環境設定プログラムが記録されたことを特徴とするコンピュータ読取可能な記録媒体。
【発明の詳細な説明】
【０００１】
【発明の属する技術分野】
本発明は、部屋環境設定システム、部屋環境設定方法、部屋環境設定プログラム及びコンピュータ読取可能な記録媒体に関するものである。
【０００２】
【従来の技術】
パーソナルコンピュータなどの機器の普及と小型高性能化に伴って、ノートブック型のパーソナルコンピュータを外出時に持ち歩いて使用する、いわゆるモバイルオフィスと呼ばれる態様が一般化している。
【０００３】
このようなモバイルオフィスの一つの課題としては、公衆の面前でパーソナルコンピュータを使用する場合のセキュリティの確保ということがある。つまり、守秘性の高い仕事に従事する場合には、不用意に公衆の面前でパーソナルコンピュータを広げて仕事をすれば、不特定多数の第三者に情報が漏洩する可能性があり、実際には持ち出したパーソナルコンピュータの使用場所に苦慮することが多々ある。このような状況に対応するために、時間貸しの事務用個室を提供するサービスや、その事務用個室に更にパーソナルコンピュータなどの機器をオプションとして更に提供するサービスが知られている。
【０００４】
【発明が解決しようとする課題】
パーソナルコンピュータなどがいかに小型高性能化したとはいえ、現在の技術では小型化には限界があり、最低でも１ｋｇ程度の質量があって、実際に持ち運ぶ際にはかなりの負担となる場合がある。また、パーソナルコンピュータなどに加えてスキャナやプリンタなどの周辺機器を持ち歩けばかなりの負担となるため、そのような周辺機器は持ち歩くことはかなり困難であり、外出先でそのような周辺機器を使用する必要性に迫られた場合には対応に苦慮することとなる。
【０００５】
また、時間貸しの事務用個室にオプションとして提供されるパーソナルコンピュータなどの機器は、自分が普段使用しているものと同機種とは限らず、特にパーソナルコンピュータに格納されて使用されるソフトウェアを、自分に合うようにカスタマイズしている場合などのように環境設定情報がデフォルトと異なる場合にはかなり使い勝手が異なるものとなる。
【０００６】
そこで本発明は、セキュリティが確保されている時間貸しの事務用個室を提供すると共に、その時間貸しの事務用個室に備え付けのパーソナルコンピュータなどの機器が、自分が普段使用しているものと同様の環境設定で使うことができる、部屋環境設定システム、部屋環境設定方法、部屋環境設定プログラム及びコンピュータ読取可能な記録媒体を提供することを課題とする。
【０００７】
【課題を解決するための手段】
本発明の部屋環境設定システムは、利用を予約する部屋を特定するための予約部屋位置情報と、部屋を利用する時間に関する予約時間情報と、部屋の予約者を特定するための予約者認証情報とを含む予約情報を、利用者端末から受信する予約情報受信手段と、部屋へ入室する入室者を特定するための入室者認証情報と、当該入室する部屋を特定するための入室部屋位置情報とを含む入室情報を受信する入室情報受信手段と、予約部屋位置情報と入室部屋位置情報、予約者認証情報と入室者認証情報、及び、予約時間情報と入室情報を受信した時刻のそれぞれを照合した結果に応じて、入室者が予約者と同一であるか否かを認証する認証手段と、入室者が予約者と同一であると認証した場合には、予約者が部屋で用いる機器の環境設定情報を返信するように要求する要求情報を利用者端末に送信する指示を出力し、利用者端末から環境設定情報を受信した場合には、受信した環境設定情報を機器へ送信する指示を出力する送信指示手段とを備える。
【０００８】
本発明によれば、認証手段が、予約部屋位置情報と入室部屋位置情報とを照合するので、予約者が、誤って予約していない部屋に入室することがない。また、認証手段が、予約者認証情報と入室者認証情報とを照合するので、予約者が予約した部屋に第三者が誤って入室することがない。更に、認証手段が、予約時間情報と入室情報を受信した時刻とを照合するので、違う時間に同じ部屋を予約している第三者が誤って入室することがない。入室者が予約者と同一であると認証した場合には、予約者が部屋で用いる機器の環境設定情報を返信するように要求する要求情報を利用者端末に送信し、利用者端末から環境設定情報を受信した場合には、受信した環境設定情報を機器へ送信するので、予約者が普段用いている機器と同様の環境設定をすることができる。
【００１０】
本発明の部屋環境設定方法は、予約情報受信手段が、利用を予約する部屋を特定するための予約部屋位置情報と、前記部屋を利用する時間に関する予約時間情報と、部屋の予約者を特定するための予約者認証情報とを含む予約情報を、利用者端末から受信するステップと、入室情報受信手段が、部屋へ入室する入室者を特定するための入室者認証情報と、当該入室する部屋を特定するための入室部屋位置情報とを含む入室情報を受信するステップと、認証手段が、予約部屋位置情報と入室部屋位置情報、予約者認証情報と入室者認証情報、及び、予約時間情報と入室情報を受信した時刻のそれぞれを照合した結果に応じて、入室者が予約者と同一であるか否かを認証するステップと、入室者が予約者と同一であると認証した場合には、予約者が部屋で用いる機器の環境設定情報を返信するように要求する要求情報を利用者端末に送信する指示を出力するステップと、利用者端末から環境設定情報を受信した場合には、受信した環境設定情報を機器へ送信する指示を出力するステップとを備える。
【００１１】
本発明によれば、認証手段が、予約部屋位置情報と入室部屋位置情報とを照合するので、予約者が、誤って予約していない部屋に入室することがない。また、認証手段が、予約者認証情報と入室者認証情報とを照合するので、予約者が予約した部屋に第三者が誤って入室することがない。更に、認証手段が、予約時間情報と入室情報を受信した時刻とを照合するので、違う時間に同じ部屋を予約している第三者が誤って入室することがない。入室者が予約者と同一であると認証した場合には、予約者が部屋で用いる機器の環境設定情報を返信するように要求する要求情報を利用者端末に送信する指示を出力するステップと、利用者端末から環境設定情報を受信した場合には、受信した環境設定情報を機器へ送信するので、予約者が普段用いている機器と同様の環境設定をすることができる。
【００１３】
本発明の部屋環境設定プログラムは、コンピュータを、利用を予約する部屋を特定するための予約部屋位置情報と、部屋を利用する時間に関する予約時間情報と、部屋の予約者を特定するための予約者認証情報とを含む予約情報を、利用者端末から受信する予約情報受信手段と、部屋へ入室する入室者を特定するための入室者認証情報と、当該入室する部屋を特定するための入室部屋位置情報とを含む入室情報を受信する入室情報受信手段と、予約部屋位置情報と入室部屋位置情報、予約者認証情報と入室者認証情報、及び、予約時間情報と入室情報を受信した時刻のそれぞれを照合した結果に応じて、入室者が予約者と同一であるか否かを認証する認証手段と、入室者が予約者と同一であると認証した場合には、予約者が部屋で用いる機器の環境設定情報を返信するように要求する要求情報を利用者端末に送信する指示を出力し、利用者端末から環境設定情報を受信した場合には、受信した環境設定情報を機器へ送信する指示を出力する送信指示手段として機能させる。
【００１４】
本発明の部屋環境設定プログラムをコンピュータに実行させると、認証手段が、予約部屋位置情報と入室部屋位置情報とを照合するので、予約者が、誤って予約していない部屋に入室することがない。また、認証手段が、予約者認証情報と入室者認証情報とを照合するので、予約者が予約した部屋に第三者が誤って入室することがない。更に、認証手段が、予約時間情報と入室情報を受信した時刻とを照合するので、違う時間に同じ部屋を予約している第三者が誤って入室することがない。入室者が予約者と同一であると認証した場合には、予約者が部屋で用いる機器の環境設定情報を返信するように要求する要求情報を利用者端末に送信する指示を出力し、利用者端末から環境設定情報を受信した場合には、受信した環境設定情報を機器へ送信するので、予約者が普段用いている機器と同様の環境設定をすることができる。
【００１６】
本発明のコンピュータ読取可能な記録媒体は、上記いずれかの部屋環境設定プログラムが記録されている。
【００１７】
本発明によれば、コンピュータを用いて上記記録媒体に記録された部屋環境設定プログラムを実行することで、認証手段が、予約部屋位置情報と入室部屋位置情報とを照合するので、予約者が、誤って予約していない部屋に入室することがない。また、認証手段が、予約者認証情報と入室者認証情報とを照合するので、予約者が予約した部屋に第三者が誤って入室することがない。更に、認証手段が、予約時間情報と入室情報を受信した時刻とを照合するので、違う時間に同じ部屋を予約している第三者が誤って入室することがない。入室者が予約者と同一であると認証した場合には、機器の環境設定情報を送信するので、予約者が普段用いている機器と同様の環境設定をすることができる。
【００１８】
【発明の実施の形態】
本発明の実施の形態を図面を参照しながら説明する。可能な場合には、同一の部分には同一の符号を付して重複する説明を省略する。本発明の実施の形態では通信手段としてインターネット及びイントラネットを用いている。データの流れを模式的に示す場合もあるが、実際のシステム構成ではデータ通信にＴＣＰ／ＩＰなどのプロトコルを用いることがでる。ＴＣＰ／ＩＰの上位プロトコルとしては、ＷＷＷ（Ｗｏｒｌｄ  Ｗｉｄｅ  Ｗｅｂ）で用いられるｈｔｔｐ（Ｈｙｐｅｒ  Ｔｅｘｔ  Ｔｒａｎｓｆｅｒ  Ｐｒｏｔｏｃｏｌ）を用いることができる。これらのプロトコル上で、ＷＷＷブラウザの表示形式を規定するＨＴＭＬ（Ｈｙｐｅｒ  Ｔｅｘｔ  Ｍａｒｋｕｐ  Ｌａｎｇｕａｇｅ）を用いることができる。また、通信手段はインターネット及びイントラネットに限定されるものではなく、本発明の目的を達成できる範囲で他の通信手段を用いることもできる。
【００１９】
本発明の第１実施形態である部屋環境設定システム１及び部屋環境設定システム１を用いたネットワーク構成１００について、図１を用いて説明する。図１は、部屋環境設定システム１及び部屋環境設定システム１を用いたネットワーク構成１００を示した構成図である。ネットワーク構成１００は、部屋貸し業者が保有する、部屋環境設定システム１、送信装置２、時間貸し部屋４、及び、イントラネット６と、貸し部屋利用者が保有する利用者端末３と、インターネット５とから構成されている。
【００２０】
まず、利用者端末３について説明する。利用者端末３は、インターネット５に接続されており、物理的には、ＣＰＵ（中央処理装置）、メモリ、マウスやキーボードといった入力装置、ディスプレイといった表示装置、ハードディスクといった格納装置、モデムといった送受信装置などを備えたコンピュータシステム（例えばパーソナルコンピュータ、携帯情報端末）として構成される。利用者端末３は、貸し部屋利用者が通常使用しており、その内部には貸し部屋利用者が使用する文書や図表などのデータが保存されており、画面表示などの環境設定情報も保存されている。本実施形態の環境設定情報としては、オペレーティングシステム、アプリケーションソフトウェア、保存されているファイル、通信環境、デスクトップのアイコン配列などについての情報も含まれる。環境設定情報は、利用者端末３が現に用いている環境設定情報そのままでもよく、貸し部屋利用者が任意に設定する環境設定情報でもよい。
【００２１】
また、貸し部屋利用者は、利用者端末３を用いて貸し部屋の予約情報を部屋貸し業者の保有する部屋環境設定システム１に対して送信する。予約情報は、貸し部屋利用者が予約しようとする部屋を特定するための部屋名や部屋ＩＤなどの予約部屋位置情報と、予約しようとする日時である予約時間情報と、貸し部屋利用者を特定するための予約者認証情報を含んでいる。予約者認証情報の態様としては、指紋、虹彩、網膜、筆跡、声紋、ＤＮＡといった生物学的な情報や、磁気カード、ＩＣカードといった本人の持ち物によって特定される情報や、パスワード、暗証番号、秘密キーといった本人のみが記憶している情報などが用いられる。
【００２２】
次に、部屋貸し業者が保有する、時間貸し部屋４と、部屋環境設定システム１と、送信装置２とについて説明する。時間貸し部屋４は、部屋貸し業者が貸し部屋利用者に貸すための部屋であって、その内部には机や電話などの設備があり、パーソナルコンピュータといった一時利用端末４２（機器）が設置されていて、入り口（外側）には入室者認証情報取得部４１と表示部４３が設置されている。一時利用端末４２は、時間貸し部屋４を利用する利用者が一時的に用いるためのものであって、イントラネット６に接続されており、イントラネット６を介してデータなどの取得が可能なように構成されている。表示部４３もイントラネット６に接続されており、イントラネット６を介して送信装置２から送信される情報を受信し表示する部分である。
【００２３】
入室者認証情報取得部４１は、指紋、虹彩、網膜、筆跡、声紋、ＤＮＡといった生物学的な情報や、磁気カード、ＩＣカードといった本人の持ち物によって特定される情報や、パスワード、暗証番号、秘密キーといった本人のみが記憶している情報などに対応して入室者を認証する入室者認証情報を取得するためのものである。また入室者認証情報取得部４１はイントラネット６に接続されており、イントラネット６を介して入室者認証情報と時間貸し部屋４を特定するための入室部屋位置情報とを部屋環境設定システムに送信可能なように構成されている。そのようなものの例としては、虹彩認証システム、指紋認証システム、声紋認証システム、磁気カードリーダー、非接触型ＩＣチップ認証システム、接触型ＩＣカード認証システム、パスワード／ＩＤ入力システムなどにモデムや有線又は無線のデータ通信カードなどの通信手段が付属したものが挙げられる。
【００２４】
部屋環境設定システム１は、物理的には、ＣＰＵ（中央処理装置）、メモリ、マウスやキーボードといった入力装置、ディスプレイといった表示装置、ハードディスクといった格納装置などを備えたコンピュータシステム（例えばワークステーション、パーソナルコンピュータ）として構成される。部屋環境設定システム１は機能的な構成要素として、入室情報受信部１１（入室情報受信手段）と、予約情報受信部１２（予約情報受信手段）と、認証部１３（認証手段）と、送信指示部１４（送信指示手段）とから構成されている。以下、各構成要素について詳細に説明する。
【００２５】
予約情報受信部１２は、貸し部屋利用者が利用者端末３から送信する予約情報を受信する。既に説明したように、予約情報は、予約部屋位置情報と、予約時間情報と、予約者認証情報とを含んでいる。予約者認証情報の態様としては、指紋、虹彩、網膜、筆跡、声紋、ＤＮＡといった生物学的な情報や、磁気カード、ＩＣカードといった本人の持ち物によって特定される情報や、パスワード、暗証番号、秘密キーといった本人のみが記憶している情報などが用いられ、予約情報受信部１２はそのような予約者認証情報を認識して受取るように構成されている。
【００２６】
入室情報受信部１１は、時間貸し部屋４の入室者認証情報取得部４１から送信される入室情報を取得し、更に、入室情報を受信した入室情報受信時刻を付加する部分である。既に説明したように、入室情報は、入室者認証情報と入室部屋位置情報とを含んでいる。入室者認証情報の態様としては、指紋、虹彩、網膜、筆跡、声紋、ＤＮＡといった生物学的な情報や、磁気カード、ＩＣカードといった本人の持ち物によって特定される情報や、パスワード、暗証番号、秘密キーといった本人のみが記憶している情報などが用いられ、入室情報受信部１１はそのような入室者認証情報を認識して受取るように構成されている。
【００２７】
認証部１３は、予約情報受信部１２が受信した予約情報と、入室者情報受信部１１が受信した入室情報とを照合し、照合した結果に応じて入室者が予約者と同一であるか否かを認証する部分である。具体的には、まず、予約部屋位置情報と入室部屋位置情報とをキーとして検索し、入室者認証情報と予約者認証情報とを照合する。照合した結果、同一性が確認された場合には、入室情報受信時刻が予約時間内に入っているかを照合して、入室者が予約者と同一であり、しかも予約時間内に入室したかを判断する。
【００２８】
送信指示部１４は、認証部１３の認証結果に応じて、送信装置２に所定の情報を送信するように指示する部分である。具体的には、入室者認証情報と予約者認証情報の同一性が確認されない場合には、「入室不許可」とのメッセージを含む警告情報を、入室者認証情報と予約者認証情報の同一性は確認されたが、入室情報受信時刻が予約時間内に入っていない場合には、「予約時間外」とのメッセージを含む警告情報を、時間貸し部屋４の表示部４３へ送信するように送信装置２へ指示を送出する。また、入室者認証情報と予約者認証情報の同一性が確認され、入室情報受信時刻が予約時間内に入っている場合には、一時利用端末４２の環境設定情報の送信を要求する要求情報を利用者端末３へ送信するように送信装置２へ指示を送出する。
【００２９】
送信装置２は、インターネット５及びイントラネット６に接続されており、部屋環境設定システム１の送信指示部１４からの指示に基づいて、利用者端末３に対して環境設定情報の送信を要求する指示情報を送信し、その指示情報に対して利用者端末３が返信する環境設定情報を受信し、時間貸し部屋４の一時利用端末４２へ送信する。また、送信装置２は送信指示部１４からの指示に基づいて、時間貸し部屋４の表示部４３へ警告情報を送信する。
【００３０】
本発明の第１実施形態である部屋環境設定システム１及び部屋環境設定システム１を用いたネットワーク構成１００を利用して、貸し部屋利用者が部屋貸し業者に対して部屋の予約をして利用を開始するまでの手順について、図２を用いて説明する。図２は、ネットワーク構成１００を構成する、部屋環境設定システム１、送信装置２、利用者端末３、時間貸し部屋４のそれぞれの間の情報のやり取りを概念的に示した概念図である。
【００３１】
貸し部屋利用者は、利用者端末３を用いて予約情報を入力し（ステップＳ０１）、予約情報を部屋貸し業者の部屋環境設定システム１へ送信する（ステップＳ０２）。貸し部屋利用者は、時間貸し部屋４を利用する際に、入り口（外側）に設置されている入室者認証情報取得部４１に入室者認証情報を入力する（ステップＳ０３）。入室者認証情報取得部４１は、入室者認証情報を基に入室情報を作成して部屋環境設定システム１に送信する（ステップＳ０４）。部屋環境設定システム１は予約情報と入室情報とを照合し、その照合結果に基づいて、利用者端末３へ環境設定情報を送信するように要求する要求情報を送信するか、又は時間貸し部屋４の表示部４３に対して警告情報を送信するように送信指示を送信装置２に対して送出する。送信装置２は、その送信指示に応じて、利用者端末３へ要求情報を送信し（ステップＳ０６）、若しくは表示部４３へ警告情報を送信する（ステップＳ０７）。表示部４３は、警告情報を受信するとその中に含まれているメッセージを表示する（ステップＳ０８）。一方、利用者端末３は、要求情報を受信すると環境設定情報を送信装置２に対して送信する（ステップＳ０９）。送信装置２は、環境設定情報を受信すると、時間貸し部屋４の一時利用端末４２へ転送する（ステップＳ１０）。一時利用端末４２は、受信した環境設定情報を基にして、自身の利用環境を設定する（ステップＳ１１）。
【００３２】
部屋環境設定システム１の処理フローについては、図３を用いて詳細に説明する。図３は、部屋環境設定システム１の処理フローを示した流れ図である。部屋環境設定システム１の予約情報受信部１２は、予約部屋位置情報と、予約時間情報と、予約者認証情報とを含む予約情報を受信する（ステップＳ１０１）。部屋環境設定システム１の入室情報受信部１１は、入室部屋位置情報と、入室者認証情報とを含む入室情報を受信する（ステップＳ１０２）。更に入室情報受信部１１は、入室情報を受信した時刻を取得し、入室情報に付加する（ステップＳ１０３）。
【００３３】
部屋環境設定システム１の認証部１３は、入室部屋位置情報と予約部屋位置情報とをキーとして検索し、入室者認証情報と予約者認証情報とを照合する（ステップＳ１０４）。同一性が確認されない場合は、送信指示部１４が、「入室不許可」とのメッセージを含む警告情報を、時間貸し部屋４の表示部４３に送信するように、送信装置２に対して指示を送出する（ステップＳ１０５）。同一性が確認された場合には、認証部１３が、入室部屋位置情報と予約部屋位置情報とをキーとして検索し、入室情報受信時刻が予約時間内に入っているかどうかを確認する（ステップＳ１０６）。入室情報受信時刻が予約時間内に入っていない場合は、送信指示部１４が、「予約時間外」とのメッセージを含む警告情報を表示部４３に送信するように、送信装置２に対して指示を送出する（ステップＳ１０７）。入室情報受信時刻が予約時間内に入っている場合には、送信指示部１４が、環境設定情報を返信するように要求する要求情報を利用者端末３に送信するように、送信装置２に対して指示を送出する（ステップＳ１０８）。
【００３４】
尚、一時利用端末４２としては、パーソナルコンピュータの他にマイクロコンピュータを内部に備えて種々の動作が可能な機器も含まれる。そのような機器の例としては、エアコン、テレビ、照明装置、油圧アクチュエータなどを備えた机や椅子、室内装飾用のディスプレー装置などが挙げられる。エアコンで設定可能な環境設定情報としては、好みの温度や湿度、香りなどについての情報がある。テレビで設定可能な環境設定情報としては、利用者が加入しているＣＡＴＶなどの有料チャンネルなどについての情報がある。照明装置で設定可能な環境設定情報としては、明るさや色温度や演色性などについての情報がある。油圧アクチュエータなどを備えた机や椅子で設定可能な環境設定情報としては、机や椅子の高さや角度などについての情報がある。室内装飾用のディスプレー装置で設定可能な環境設定情報としては、絵画や写真などについての情報がある。
【００３５】
また、時間貸し部屋４の具体的な例としては、時間貸しのオフィスや会議室の他にホテルの個室、スポーツクラブやフィットネスクラブなども挙げられる。スポーツクラブやフィットネスクラブで使用される一時利用端末４２の例としては、各種のトレーニング機器や体脂肪計などの測定機器が挙げられる。トレーニング機器で設定可能な環境設定情報としては、負荷量や機器寸法などについての情報がある。測定機器で設定可能な環境設定情報としては、身長や体重などについての情報がある。更に時間貸し部屋４には、移動可能な空間、例えばレンタカーなども含まれる。レンタカーで使用される一時利用端末４２の例としては、エアコン、オーディオ機器といったものの他に、モータなどのアクチュエータなどを備えたシートやステアリングホイールなどが挙げられる。
【００３６】
次に、コンピュータを、本発明の第１実施形態である部屋環境設定システム１として機能させるための部屋環境設定プログラム８１１及びそれが記録されているコンピュータ読取可能な記録媒体８について、図４を用いて説明する。図４は、部屋環境設定プログラム８１１が記録されている記録媒体８の構成を示した構成図である。記録媒体８としては、例えば、磁気ディスク、光ディスク、ＣＤ−ＲＯＭ、コンピュータに内蔵されたメモリなどが該当する。
【００３７】
記録媒体８は、図４に示すように、プログラムを記録するプログラム領域８１を備えている。プログラム領域８１には、部屋環境設定プログラム８１１が記録されている。部屋環境設定プログラム８１１は、処理を統括するメインモジュール８１１ａと、予約情報を受信する予約情報受信モジュール８１１ｂと、入室情報を受信する入室情報受信モジュール８１１ｃと、入室情報と予約情報とを照合し、その結果に応じて入室者と予約者との同一性を認証する認証モジュール８１１ｄと、認証した結果に応じた送信指示を送出する送信指示モジュール８１１ｅとを備える。ここで、予約情報受信モジュール８１１ｂ、入室情報受信モジュール８１１ｃ、認証モジュール８１１ｄ、送信指示モジュール８１１ｅのそれぞれを動作させることによって実現する機能は、上記部屋環境設定システム１の予約情報受信部１２、入室情報受信部１１、認証部１３、送信指示部１４のそれぞれの機能と同様である。
【００３８】
第１実施形態の作用及び効果について説明する。認証部１３が、予約部屋位置情報と入室部屋位置情報とをキーとして検索し、予約者認証情報と入室者認証情報とを照合するので、貸し部屋利用者が予約した時間貸し部屋４に、誤って第三者が入室することがない。更に、認証部１３が、予約部屋位置情報と入室部屋位置情報とをキーとして検索し、予約時間情報と入室情報を受信した時刻とを照合するので、違う時間に時間貸し部屋４を予約している第三者が誤って入室することがない。入室者が貸し部屋利用者と同一であると認証した場合には、一時利用端末４２に環境設定情報を送信するので、貸し部屋利用者が普段用いている利用者端末３と同様の環境設定をすることができる。
【００３９】
本発明の第２実施形態である部屋環境設定システム７及び部屋環境設定システム７を用いたネットワーク構成２００について、図５を用いて説明する。図５は、部屋環境設定システム７及び部屋環境設定システム７を用いたネットワーク構成２００を示した構成図である。ネットワーク構成２００は、部屋貸し業者が保有する、部屋環境設定システム７、時間貸し部屋４、及び、イントラネット６と、貸し部屋利用者が保有する利用者端末３と、インターネット５とから構成されている。利用者端末３、時間貸し部屋４については、第１実施形態と同様であるので説明を省略する。
【００４０】
部屋環境設定システム７について説明する。部屋環境設定システム７は、物理的には、ＣＰＵ（中央処理装置）、メモリ、マウスやキーボードといった入力装置、ディスプレイといった表示装置、ハードディスクといった格納装置、モデムといった送受信装置などを備えたコンピュータシステム（例えばワークステーション、パーソナルコンピュータ）として構成される。部屋環境設定システム７は機能的な構成要素として、入室情報受信部７１（入室情報受信手段）と、予約情報受信部７２（予約情報受信手段）と、認証部７３（認証手段）と、送信指示部７４（送信指示手段）と、送信部７５（送信手段）と、環境情報保持部７６（環境情報保持手段）とから構成されている。以下、各構成要素について詳細に説明する。
【００４１】
予約情報受信部７２は、第１実施形態の予約情報受信部１２と、入室情報受信部７１は、第１実施形態の入室情報受信部１１と、認証部７３は、第１実施形態の認証部１３とそれぞれ同様の機能を有する部分であるので説明を省略する。
【００４２】
環境情報保持部７６は、インターネット５に接続されており、貸し部屋利用者が利用者端末３から送信した環境設定情報を受信し保持する部分である。また、環境情報保持部７６は、受信した環境設定情報を、時間貸し部屋４の一時利用端末４２に適合するように適宜データ加工も行なう部分である。
【００４３】
送信指示部７４は、認証部７３の認証結果に応じて、送信部７５に所定の情報を送信するように指示する部分である。具体的には、入室者認証情報と予約者認証情報の同一性が確認されない場合には、「入室不許可」とのメッセージを含む警告情報を、入室者認証情報と予約者認証情報の同一性は確認されたが、入室情報受信時刻が予約時間内に入っていない場合には、「予約時間外」とのメッセージを含む警告情報を、時間貸し部屋４の表示部４３へ送信するように、送信部７５へ指示を送出する。また、入室者認証情報と予約者認証情報の同一性が確認され、入室情報受信時刻が予約時間内に入っている場合には、環境情報保持部７６に保持されている、予約者認証情報に対応した環境設定情報を、時間貸し部屋４の一時利用端末４２へ送信するように、送信部７５へ指示を送出する。
【００４４】
送信部７５は、イントラネット６に接続されており、送信指示部７４からの指示に基づいて、環境情報保持部７６に保持されている、予約者認証情報に対応した環境設定情報を、時間貸し部屋４の一時利用端末４２へ送信する。また、送信部７５は送信指示部７４からの指示に基づいて、時間貸し部屋４の表示部４３へ警告情報を送信する。
【００４５】
本発明の第２実施形態である部屋環境設定システム７及び部屋環境設定システム７を用いたネットワーク構成２００を利用して、貸し部屋利用者が部屋貸し業者に対して部屋の予約をして利用を開始するまでの手順について、図６を用いて説明する。図６は、ネットワーク構成２００を構成する、部屋環境設定システム７、利用者端末３、時間貸し部屋４のそれぞれの間の情報のやり取りを概念的に示した概念図である。
【００４６】
貸し部屋利用者は、利用者端末３を用いて予約情報を入力し（ステップＳ２１）、予約情報を部屋貸し業者の部屋環境設定システム７へ送信する（ステップＳ２２）。更に、貸し部屋利用者は、環境設定情報を部屋環境設定システム７へ送信し、部屋環境設定システム７は環境設定情報を環境情報保持部７６へ保持する（ステップＳ２３）。貸し部屋利用者は、時間貸し部屋４を利用する際に、入り口に設置されている入室者認証情報取得部４１に入室者認証情報を入力する（ステップＳ２４）。入室者認証情報取得部４１は、入室者認証情報を基に入室情報を作成して部屋環境設定システム７に送信する（ステップＳ２５）。部屋環境設定システム７は予約情報と入室情報とを照合し（ステップＳ２６）、その照合結果に基づいて、時間貸し部屋４の表示部４３に対して警告情報を送信するか（ステップＳ２７）、又は環境情報保持部７６に保持された環境設定情報を時間貸し部屋４の一時利用端末へ送信する（ステップＳ２９）。表示部４３は、警告情報を受信するとその中に含まれているメッセージを表示する（ステップＳ２８）。一時利用端末４２は、受信した環境設定情報を基にして、自身の利用環境を設定する（ステップＳ３０）。
【００４７】
部屋環境設定システム７の処理フローについては、図７を用いて詳細に説明する。図７は、部屋環境設定システム７の処理フローを示した流れ図である。部屋環境設定システム７の予約情報受信部７２は、予約部屋位置情報と、予約時間情報と、予約者認証情報とを含む予約情報を受信する（ステップＳ２０１）。部屋環境設定システム７の環境情報保持部７６は、環境設定情報を受信し、時間貸し部屋４の一時利用端末４２に適合したデータ形式となるように、環境設定情報を加工する（ステップＳ２０２）。部屋環境設定システム７の入室情報受信部７１は、入室部屋位置情報と、入室者認証情報とを含む入室情報を受信する（ステップＳ２０３）。更に入室情報受信部７１は、入室情報を受信した時刻を取得し、入室情報に付加する（ステップＳ２０４）。
【００４８】
部屋環境設定システム７の認証部７３は、入室部屋位置情報と予約部屋位置情報とをキーとして検索し、入室者認証情報と予約者認証情報とを照合する（ステップＳ２０５）。同一性が確認されない場合は、送信指示部７４が、「入室不許可」とのメッセージを含む警告情報を、時間貸し部屋４の表示部４３に送信するように、送信部７５に対して指示を送出し、送信部７５が警告情報を送信する（ステップＳ２０６）。同一性が確認された場合には、認証部７３が、入室部屋位置情報と予約部屋位置情報とをキーとして検索し、入室情報受信時刻が予約時間内に入っているかどうかを照合する（ステップＳ２０７）。入室情報受信時刻が予約時間内に入っていない場合は、送信指示部７４が、「予約時間外」とのメッセージを含む警告情報を表示部４３に送信するように、送信部７５に対して指示を送出し、送信部７５が警告情報を送信する（ステップＳ２０８）。入室情報受信時刻が予約時間内に入っている場合には、送信指示部７４が、予約者認証情報をキーとして環境設定情報を抽出し一時利用端末４２へ送信するように、送信部７５に対して指示を送出し、送信部７５が環境設定情報を送信する（ステップＳ２０９）。
【００４９】
次に、コンピュータを、本発明の第２実施形態である部屋環境設定システム７として機能させるための部屋環境設定プログラム９１１及びそれが記録されているコンピュータ読取可能な記録媒体９について、図８を用いて説明する。図８は、部屋環境設定プログラム９１１が記録されている記録媒体９の構成を示した構成図である。記録媒体９としては、例えば、磁気ディスク、光ディスク、ＣＤ−ＲＯＭ、コンピュータに内蔵されたメモリなどが該当する。
【００５０】
記録媒体９は、図８に示すように、プログラムを記録するプログラム領域９１とデータを記録するデータ領域９２とを備えている。データ領域９２には、環境設定情報を保持する環境情報データベース９２１を有する。また、プログラム領域９１には、部屋環境設定プログラム９１１が記録されている。部屋環境設定プログラム９１１は、処理を統括するメインモジュール９１１ａと、予約情報を受信する予約情報受信モジュール９１１ｂと、入室情報を受信する入室情報受信モジュール９１１ｃと、入室情報と予約情報とを照合し、その結果に応じて入室者と予約者との同一性を認証する認証モジュール９１１ｄと、認証した結果に応じた送信指示を送出する送信指示モジュール９１１ｅと、環境設定情報を保持手段に保持させる環境情報保持モジュール９１１ｆと、送信指示に基づいて情報を送信する送信モジュール９１１ｇを備える。ここで、予約情報受信モジュール９１１ｂ、入室情報受信モジュール９１１ｃ、認証モジュール９１１ｄ、送信指示モジュール９１１ｅ、環境情報保持モジュール９１１ｆ、送信モジュール９１１ｇのそれぞれを動作させることによって実現する機能は、上記部屋環境設定システム７の予約情報受信部７２、入室情報受信部７１、認証部７３、送信指示部７４、環境保持部７６、送信部７５のそれぞれの機能と同様である。
【００５１】
第２実施形態の作用及び効果について説明する。認証部７３が、予約部屋位置情報と入室部屋位置情報とをキーとして検索し、予約者認証情報と入室者認証情報とを照合するので、貸し部屋利用者が予約した時間貸し部屋４に、誤って第三者が入室することがない。更に、認証部７３が、予約部屋位置情報と入室部屋位置情報とをキーとして検索し、予約時間情報と入室情報を受信した時刻とを照合するので、違う時間に時間貸し部屋４を予約している第三者が誤って入室することがない。認証部７３が、入室者が貸し部屋利用者と同一であると認証した場合には、一時利用端末４２に環境設定情報を送信するので、貸し部屋利用者が普段用いている利用者端末３と同様の環境設定をすることができる。環境情報保持部７６に、環境設定情報を予め格納しておくことができるので、例えば貸し部屋利用者が時間貸し部屋４を利用する際に、利用者端末３が通信不能な状態にあっても、送信部７５が環境設定情報を送信することができる。また、環境情報保持部７６が、利用者端末３から受信した環境設定情報を、一時利用端末４２に適合するようにデータ加工を行なうので、一時利用端末４２と利用者端末３の機種などが異なっていても環境設定を行なうことができる。
【００５２】
【発明の効果】
本発明によれば、認証手段が、予約部屋位置情報と入室部屋位置情報とを照合するので、予約者が、誤って予約していない部屋に入室することがない。また、認証手段が、予約者認証情報と入室者認証情報とを照合するので、予約者が予約した部屋に第三者が誤って入室することがない。更に、認証手段が、予約時間情報と入室情報を受信した時刻とを照合するので、違う時間に同じ部屋を予約している第三者が誤って入室することがない。入室者が予約者と同一であると認証した場合には、機器の環境設定情報を送信するので、予約者が普段用いている機器と同様の環境設定をすることができる。従って、本発明の目的とする、セキュリティが確保されている時間貸しの事務用個室を提供すると共に、その時間貸しの事務用個室に備え付けのパーソナルコンピュータなどの機器が、自分が普段使用しているものと同様の環境設定で使うことができる、部屋環境設定システム、部屋環境設定方法、部屋環境設定プログラム及びコンピュータ読取可能な記録媒体を提供することができた。
【図面の簡単な説明】
【図１】本発明の第１実施形態である部屋環境設定システム１を用いたネットワーク構成１００を示した構成図である。
【図２】図１に示すネットワーク構成１００の情報の動きを概念的に示した図である。
【図３】本発明の第１実施形態である部屋環境設定システム１の処理フローを示した流れ図である。
【図４】部屋環境設定プログラム８１１が記録されている記録媒体８の構成を示した構成図である。
【図５】本発明の第２実施形態である部屋環境設定システム７を用いたネットワーク構成２００を示した構成図である。
【図６】図５に示すネットワーク構成２００の情報の動きを概念的に示した図である
【図７】本発明の第２実施形態である部屋環境設定システム７の処理フローを示した流れ図である。
【図８】部屋環境設定プログラム９１１が記録されている記録媒体９の構成を示した構成図である。
【符号の説明】
１…部屋環境設定システム、１１…入室情報受信部、１２…予約情報受信部、１３…認証部、１４…送信指示部、４…時間貸し部屋、４２…一時利用端末、７…部屋環境設定システム、７１…入室情報受信部、７２…予約情報受信部、７３…認証部、７４…送信支持部、７５…送信部、７６…環境情報保持部。
【図１】
0003990868.tif 000002
【図２】
0003990868.tif 000003
【図３】
0003990868.tif 000004
【図４】
0003990868.tif 000005
【図５】
0003990868.tif 000006
【図６】
0003990868.tif 000007
【図７】
0003990868.tif 000008
【図８】
0003990868.tif 000009